(57)【要約】【課題】  ＤＶＤ−ＶＲ規格で記録されたデュアルモノラル音声をＤＶＤ−Ｖｉｄｅｏで許されているモノラル音声またはステレオ音声へ変換する際に、音声情報を復号し、再符号化を行っている従来装置では、高速なフォーマット変換が困難である。【解決手段】  ストリーム解析器１４１は、デュアルモノラル音声ストリーム中の符号化に関係しないダミーデータを探索して、そのダミーデータの量を求める。モノラルストリーム分離器１４２は、デュアルモノラル音声ストリームを２つのチャンネルに分割するときに増大するビット量が、ダミーデータの量よりも少ないときに、デュアルモノラル音声ストリームを２つのチャンネルに再符号化することなく分割する。モノラルストリーム付加情報多重器１４４，１４５は、２つのチャンネルに分割されたオーディオデータを再構成して２つのモノラル音声ストリームを生成する。【選択図】            図１
2006349976.tif 000002
【特許請求の範囲】
【請求項１】
互いに独立した２チャンネルのモノラル音声信号が、ＭＰＥＧ方式又はＭＰＥＧ方式と互換性のある符号化方式により圧縮符号化されてなるオーディオデータを含むデュアルモノラル音声ストリームのフォーマットを、１チャンネルのモノラル音声信号がＭＰＥＧ方式又はＭＰＥＧ方式と互換性のある符号化方式により圧縮符号化されてなるオーディオデータを含むモノラル音声ストリームのフォーマットに変換する音声フォーマット変換装置であって、
前記デュアルモノラル音声ストリーム中の符号化に関係しないダミーデータを探索して、そのダミーデータの量を求めるダミーデータ探索手段と、
前記デュアルモノラル音声ストリームを２つのチャンネルに分割するときに増大するビット量が、前記ダミーデータ探索手段により得た前記ダミーデータの量以下のときに、該増大するビット量に応じた量だけ前記ダミーデータを削除するダミーデータ削除手段と、
前記デュアルモノラル音声ストリーム中の前記オーディオデータを２つのチャンネルに再符号化することなく分離して第１及び第２の分離オーディオデータを得る分離手段と、
前記ダミーデータ探索手段の探索結果に基づいて前記デュアルモノラル音声ストリーム中のヘッダから前記モノラル音声ストリーム用のヘッダを生成するヘッダ生成手段と、
前記第１及び第２の分離オーディオデータに別々に前記ヘッダ生成手段により生成したヘッダを付加すると共に、再計算した誤り訂正符号と全体のビット長が所定の固定長とするためのダミーデータを付加して前記２つのモノラル音声ストリームを生成する付加情報多重手段と
を有することを特徴とする音声フォーマット変換装置。
【発明の詳細な説明】
【技術分野】
【０００１】
本発明は音声フォーマット変換装置に係り、特にＤＶＤ−ＶＲ（Video-Recording）規格によるＭＰＥＧ（Moving Picture Experts Group）オーディオデュアルモノラル音声ストリームを、ＤＶＤ−Ｖｉｄｅｏ規格に則ったＭＰＥＧオーディオモノラル２チャンネルストリームに再符号化することなく高速に変換が可能な音声フォーマット変換装置に関する。
【背景技術】
【０００２】
ディジタル多用途光ディスク（ＤＶＤ：Digital Versatile Disk）では複数の規格が混在しており、そのうち記録再生装置に向けて規格制定されたＤＶＤ−ＶＲ規格では、音声符号化の一方式であるＭＰＥＧオーディオ符号化方式を採用している。このＤＶＤ−ＶＲ規格では、異なる２チャンネルの独立した音声を記録するフォーマットとして、デュアルモノラル音声フォーマットでの記録が認められている。このデュアルモノラル音声フォーマットは、例えば現行テレビ放送の二ヶ国語放送で日本語音声と英語音声を記録する場合に使用することができる。
【０００３】
一方、再生専用機に向けて規格制定されたＤＶＤ−Ｖｉｄｅｏ規格では、音声符号化方式としてＭＰＥＧオーディオ符号化方式を採用しているが、上記のデュアルモノラル音声フォーマットでの記録が許されていない。
【０００４】
このため、ＤＶＤ−ＶＲ規格のストリームをＤＶＤ−Ｖｉｄｅｏ規格のストリームに変換する機能を備えた記録再生装置では、ＤＶＤ−ＶＲ規格に則って符号化されたデュアルモノラル音声ストリームをＤＶＤ−Ｖｉｄｅｏ規格に則した音声ストリームに変換する場合、符号化されたデュアルモノラル音声ストリームのどちらか一方の音声チャンネルを選択して音声信号を復号し、再符号化を行っている。この変換によって得られる音声ストリームは、音声が１チャンネルとなり、もう一方の音声チャンネルの信号は失われる。
【０００５】
また、ＤＶＤ−ＶＲ規格で記録された情報をデコードし、デコード信号をフォーマット変換部でＤＶＤ−Ｖｉｄｅｏ規格の情報に変換するのに先立ち、マイクロコンピュータ部によりデコード信号のパラメータの変化を検出し、パラメータの変化後に続くデコード信号をＤＶＤ−Ｖｉｄｅｏフォーマットの情報として新たなタイトルとして管理する管理情報を作成するようにした記録再生装置が従来から知られている（例えば、特許文献１参照）。この記録再生装置では、ＤＶＤ−ＶＲ規格で記録されたタイトル内に異なる解像度を持つ複数のストリームが存在した場合、解像度が異なる部分で自動的にタイトルを分割して、ＤＶＤ−Ｖｉｄｅｏ規格のデータに変換する処理を行う。
【０００６】
【特許文献１】特開２００３−１５３１７０号公報
【発明の開示】
【発明が解決しようとする課題】
【０００７】
しかるに、特許文献１記載の記録再生装置では、ＤＶＤ−ＶＲ規格で記録されたデュアルモノラル音声をＤＶＤ−Ｖｉｄｅｏで許されているモノラル音声またはステレオ音声へ変換する際に、音声情報を復号し、再符号化を行っているため、高速に処理することが困難である。
【０００８】
また、一部のパーソナルコンピュータのソフトウェアではデュアルモノラル音声ストリームを復号し、２チャンネル音声を各々に再符号化を行うことでモノラル音声２ストリームの信号を作成可能なものがあるが、このものも処理に復号、再符号化を伴うため、高速に変換することが困難である。
【０００９】
本発明は以上の点に鑑みなされたもので、ＤＶＤ−ＶＲ規格等の第１の規格で記録されたデュアルモノラル音声ストリームを、ＤＶＤ−Ｖｉｄｅｏ規格等の第２の規格に則した、モノラル音声２ストリームに高速に変換し得る音声フォーマット変換装置を提供することを目的とする。
【課題を解決するための手段】
【００１０】
上記目的を達成するため、本発明は互いに独立した２チャンネルのモノラル音声信号がＭＰＥＧ方式又はＭＰＥＧ方式と互換性のある符号化方式により圧縮符号化されてなるオーディオデータを含むデュアルモノラル音声ストリームのフォーマットを、１チャンネルのモノラル音声信号がＭＰＥＧ方式又はＭＰＥＧ方式と互換性のある符号化方式により圧縮符号化されてなるオーディオデータを含むモノラル音声ストリームのフォーマットに変換する音声フォーマット変換装置であって、
デュアルモノラル音声ストリーム中の符号化に関係しないダミーデータを探索して、そのダミーデータの量を求めるダミーデータ探索手段と、デュアルモノラル音声ストリームを２つのチャンネルに分割するときに増大するビット量が、ダミーデータ探索手段により得たダミーデータの量以下のときに、増大するビット量に応じた量だけダミーデータを削除するダミーデータ削除手段と、デュアルモノラル音声ストリーム中のオーディオデータを２つのチャンネルに再符号化することなく分離して第１及び第２の分離オーディオデータを得る分離手段と、ダミーデータ探索手段の探索結果に基づいてデュアルモノラル音声ストリーム中のヘッダからモノラル音声ストリーム用のヘッダを生成するヘッダ生成手段と、第１及び第２の分離オーディオデータに別々にヘッダ生成手段により生成したヘッダを付加すると共に、再計算した誤り訂正符号と全体のビット長が所定の固定長とするためのダミーデータを付加して２つのモノラル音声ストリームを生成する付加情報多重手段とを有することを特徴とする。
【００１１】
この発明では、デュアルモノラル音声ストリームを２つのチャンネルに分割するときに増大するビット量が、ダミーデータの量以下のときに、デュアルモノラル音声ストリームを２つのチャンネルに再符号化することなく分割し、再構成して２つのモノラル音声ストリームを生成するようにしたため、デュアルモノラル音声ストリームの復号及び復号オーディオデータの再符号化を行うことなく、２つのモノラル音声ストリームを生成することができる。
【発明の効果】
【００１２】
本発明によれば、ＭＰＥＧ方式又はＭＰＥＧ方式と互換性のある符号化方式により圧縮符号化されてなるオーディオデータを含むデュアルモノラル音声ストリームの復号及び復号オーディオデータの再符号化を行うことなく、１チャンネルのモノラル音声信号がＭＰＥＧ方式又はＭＰＥＧ方式と互換性のある符号化方式により圧縮符号化されてなるオーディオデータを含むモノラル音声ストリームを２つ生成するようにしたため、デュアルモノラル音声ストリームのフォーマットのフォーマットから、モノラル音声ストリームのフォーマットへの変換を高速に行うことができる。
【発明を実施するための最良の形態】
【００１３】
次に、本発明の実施の形態について図面と共に説明する。図１は本発明になる音声フォーマット変換装置の一実施の形態のブロック図を示す。本実施の形態は、ＤＶＤ−ＶＲ規格に準拠した符号化データストリームが格納されている第１の外部記憶装置１１と、ＤＶＤ−ＶＲ規格に準拠した符号化データストリームを画像ＰＥＳ（Packetized Elementary Stream）ストリームと、デュアルモノラル音声ＰＥＳストリームと、ＲＤＩ（Real-time Data Information）パックとに分離するＰＳアンパケタイズ器１２と、ＲＤＩパックをＮＡＶパックに変換するＲＤＩ−ＮＡＶパック変換器１３と、音声再構成器１４と、再構成された２チャンネルのモノラル音声ＰＥＳストリームとＮＡＶ（navigation）パックと画像ＰＥＳストリームとからＤＶＤ−Ｖｉｄｅｏ規格に準拠した符号化ストリームを生成するビデオ（Ｖｉｄｅｏ）ＰＳパケタイズ器１５と、ビデオＰＳパケタイズ器１５からのＤＶＤ−Ｖｉｄｅｏ規格に準拠した符号化ストリームを格納する第２の外部記憶装置１６とから構成される。
【００１４】
上記のビデオＰＳパケタイズ器１５は、ＤＶＤ−ＶＲ規格の画像音声ストリームからＤＶＤ−Ｖｉｄｅｏ規格の画像音声ストリームに変換するときには、画像ＰＥＳストリーム、モノラル音声ＰＥＳストリームを適当な大きさに分割し、ＭＰＥＧ２  ＰＳパケットを生成する。
【００１５】
また、上記の音声再構成器１４は、ＰＳアンパケタイズ器１２からのデュアルモノラル音声ＰＥＳストリームを解析し、符号化に関係しないデータ（以下、ダミーデータ）を探索するストリーム解析器１４１と、符号化データを再符号化することなくモノラル音声２ストリームに分離するモノラルストリーム分離器１４２と、モノラルストリーム用の付加情報を生成するモノラル情報生成器１４３と、モノラルストリーム付加情報を生成して上記の２つのモノラルストリームに多重するモノラルストリーム付加情報多重器１４４及び１４５とから構成され、入力されたデュアルモノラル音声ＰＥＳストリームを再符号化することなく、２つのモノラル音声ＰＥＳストリームに変換して出力する。
【００１６】
図２はＰＳアンパケタイズ器１２から出力されるデュアルモノラル音声ＰＥＳストリームの一例のフォーマットを示す。このデュアルモノラル音声ＰＥＳストリームは、ＭＰＥＧオーディオ符号化によって符号化された音声データストリームである。以下では、ＭＰＥＧ１／２レイヤ２を想定して説明を行う。ＭＰＥＧオーディオ符号化では、複数のオーディオアクセスユニット（ＡＡＵ）から構成され、１つのオーディオアクセスユニットは、図２（Ａ）に示すように、ヘッダ情報（ｈｅａｄｅｒ）２１、エラーチェック情報（ｅｒｒｏｒ＿ｃｈｅｃｋ）２２、オーディオ情報（ａｕｄｉｏ＿ｄａｔａ）２３、補助情報（ａｎｃｉｌｌａｒｙ＿ｄａｔａ）２４より構成される。
【００１７】
上記のオーディオ情報２３以外のヘッダ情報２１、エラーチェック情報２２及び補助情報２４が音声付加情報を構成している。また、ヘッダ情報２１は、図２（Ｂ）に示すように、先頭に固定パターンの同期ワード２５が配置され、また、符号長に関与する情報であるビットレートインデックス（ｂｉｔｒａｔｅ＿ｉｎｄｅｘ）２６、パディングビット（ｐａｄｄｉｎｇ＿ｂｉｔ）２７、デュアルモノラル音声／モノラル音声を区別するフラグ（ｍｏｄｅ）２８その他が配置されている。
【００１８】
ＭＰＥＧオーディオ符号は、固定ビットレートの符号であり、つまり、単位時間当りの符号長は一定である。しかし、符号化処理は入力信号に応じた適応量子化が行われるために、符号化データだけで符号長を一定にすることは困難である。そのため、主に符号長を調整する目的で、復号に関係ない符号（以下ダミーデータ）を補助情報（ａｎｃｉｌｌａｒｙ ｄａｔａ）２４として挿入することが許可されている。
【００１９】
そこで、本実施の形態は、２チャンネル独立音声をＭＰＥＧオーディオ符号化方式で符号化されたデュアルモノラル音声ＰＥＳストリームに適当な長さのダミーデータが挿入されているか探索し、その探索結果に基づいてモノラル音声２ストリームに再符号化することなく分離可能であるかどうか判断し、モノラル音声２ストリームへ変換するものである。
【００２０】
次に、本実施の形態の動作について説明する。第１の外部記憶装置１１には、ＤＶＤ−ＶＲ規格に準拠した符号化ストリームである第１の画像音声ストリームが予め記憶されている。この第１の画像音声ストリームは、複数のビデオオブジェクト（ＶＯＢ）からなるファイル単位で構成され、１つのＶＯＢは複数のビデオオブジェクトユニット（ＶＯＢＵ）から構成され、１つのＶＯＢＵは先頭にＲＤＩパックが配置され、以降複数のビデオパックと複数のオーディオパックが配置された構成である。ビデオパックは画像データが例えばＭＰＥＧ２方式で圧縮符号化されたパケットデータを含み、オーディオパックは、例えばＭＰＥＧ１/２方式で圧縮されたオーディオ情報を含む。
【００２１】
第１の外部記憶装置１１から読み出された第１の画像音声ストリームは、ＰＳアンパケタイズ器１２に供給され、ここでオーディオパックから図３（Ａ）に示すフォーマットのデュアルモノラル音声ＰＥＳストリームが分離され、ビデオパックから画像ＰＥＳストリームが分離され、また、ＲＤＩパックが分離される。
【００２２】
図３（Ａ）に示すフォーマットのデュアルモノラル音声ＰＥＳストリームは、図２（Ａ）に示したＭＰＥＧオーディオストリームと同一のストリームであり、ヘッダ情報（ｈｅａｄｅｒ）２１、エラーチェック情報（ｅｒｒｏｒ＿ｃｈｅｃｋ）２２、オーディオ情報（ａｕｄｉｏ＿ｄａｔａ）２３、補助情報（ａｎｃｉｌｌａｒｙ＿ｄａｔａ）２４より構成される。このデュアルモノラル音声ＰＥＳストリームは、音声再構成器１４内のストリーム解析器１４１に供給される。
【００２３】
また、分離された画像ＰＥＳストリームは、ビデオＰＳパケタイズ器１５に供給される。更に、分離されたＲＤＩパックは、ＲＤＩ−ＮＡＶパック変換器１３に供給される。このＲＤＩパックは、ヘッダやリアルタイム情報データなどから構成される固定長のパックで、リアルタイム情報データには、このＲＤＩパックが属するＶＯＢＵの最初のフィールドが再生される開始時間を示すリアルタイムジェネラル情報や、ディスプレイコントロール情報、コピーコントロール情報、製造者情報などが含まれる。このＲＤＩパックは、ＲＤＩ−ＮＡＶパック変換器１３により、ＤＶＤ−Ｖｉｄｅｏ規格に準拠した公知の構成のＮＡＶパックに変換される。
【００２４】
一方、ストリーム解析器１４１は、入力されたデュアルモノラル音声ストリームに、符号化に必要ないダミーデータが存在するかどうか探索し、存在する場合はそのダミーデータの量を求める。ここで、上記の符号化に必要ないダミーデータの量とは、図２（Ａ）、図３（Ａ）に示すフォーマットのデュアルモノラル音声ストリームの１ＡＡＵ内の補助情報（ａｎｃｉｌｌａｒｙ ｄａｔａ）２４のビット量である。
【００２５】
更に、ストリーム解析器１４１は、デュアルモノラル音声ストリームをモノラル音声２ストリームに分割したときに増大するビット量が、上記の符号化に必要ないダミーデータの量以下かどうか判定し、その判定結果をデュアルモノラル音声ストリームと共にモノラルストリーム分離器１４２及びモノラル情報生成器１４３に供給する。
【００２６】
ここで、上記のストリーム解析器１４１による、デュアルモノラル音声ストリームをモノラル音声２ストリームに分割したときに増大するビット量が、上記の符号化に必要ないダミーデータの量以下であるか否かを判定する判定動作について更に詳細に説明する。いま、デュアルモノラル音声ストリームのトータルビット量をＴＬ＿ＤＭとし、その中に含まれるデータのビット量をそれぞれ以下のように定義する。ただし、以下において、headerは図２（Ａ）、図３（Ａ）に示したヘッダ情報２１のビット量、error_checkはエラーチェック情報２２のビット量、audio_dataはオーディオ情報２３のビット量、ancillary_dataは補助情報２４のビット量を示す。
【００２７】
ＴＬ＿ＨＤ＝header＋error_check（これは固定量）
ＴＬ＿ＡＵ＝（ＴＬ＿ＡＵ＿１ＣＨ＋ＴＬ＿ＡＵ＿２ＣＨ）
＝audio_data(これは1ch/2chの合計ビット量で可変量)
ＴＬ＿ＡＮＣ＝ancillary_data
これにより、デュアルモノラル音声ストリームのトータルビット量ＴＬ＿ＤＭは、次式で表わされる。
【００２８】
ＴＬ＿ＤＭ＝ＴＬ＿ＨＤ＋ＴＬ＿ＡＵ＋ＴＬ＿ＡＮＣ
次に、１チャンネルと２チャンネルの各モノラル音声ストリームのトータルビット量をＴＬ＿ＭＮ＿１ＣＨ、ＴＬ＿ＭＮ＿２ＣＨとすると、以下の式が成立する。
【００２９】
ＴＬ＿ＭＮ＿１ＣＨ≦ＴＬ＿ＤＭ／２
ＴＬ＿ＭＮ＿２ＣＨ≦ＴＬ＿ＤＭ／２
ＴＬ＿ＭＮ＿１ＣＨ＝ＴＬ＿ＨＤ＋ＴＬ＿ＡＵ＿１ＣＨ＋ＴＬ＿ＡＮＣ＿１ＣＨ
ＴＬ＿ＭＮ＿２ＣＨ＝ＴＬ＿ＨＤ＋ＴＬ＿ＡＵ＿２ＣＨ＋ＴＬ＿ＡＮＣ＿２ＣＨ
ここで、以下の不等式が成立しなければならない。
【００３０】
ＴＬ＿ＤＭ≧ＴＬ＿ＭＮ＿１ＣＨ＋ＴＬ＿ＭＮ＿２ＣＨ
よって、
（ＴＬ＿ＨＤ＋ＴＬ＿ＡＵ＋ＴＬ＿ＡＮＣ）≧（２×ＴＬ＿ＨＤ＋（ＴＬ＿ＡＵ＿１    ＣＨ＋ＴＬ＿ＡＵ＿２ＣＨ）＋（ＴＬ＿ＡＮＣ＿１ＣＨ＋ＴＬ＿ＡＮＣ＿２ＣＨ））
であるので、上式を整理すると以下の不等式が求められる。
【００３１】
ＴＬ＿ＡＮＣ≧ＴＬ＿ＨＤ＋（ＴＬ＿ＡＮＣ＿１ＣＨ＋ＴＬ＿ＡＮＣ＿２ＣＨ）
この不等式は、符号化に必要ないデータ量「ＴＬ＿ＡＮＣ」が、ストリーム分割に際して増大するビット量「ＴＬ＿ＨＤ＋（ＴＬ＿ＡＮＣ＿１ＣＨ＋ＴＬ＿ＡＮＣ＿２ＣＨ）」以上であることを示しており、デュアルモノラル音声ストリーム中の符号化に必要ないダミーデータの量（ancillary_data）は、少なくとも（header＋error_check）の固定ビット量分が必要となり、モノラル音声ストリームを固定のトータルサイズに合わせるために、更に１チャンネル毎に補助情報（ancillary_data）が必要となることを意味している。
【００３２】
そこで、本実施の形態では、ストリーム解析器１４１がストリーム分割に際して増大するビット量が、デュアルモノラル音声ストリーム中の符号化に必要ないダミーデータの量以下であるか否か判定し、以下であるとの判定結果が得られたときにモノラルストリーム分離器１４２が、デュアルモノラル音声ストリームのダミーデータを削除すると共に、デュアルモノラル音声ストリームのオーディオ情報（ａｕｄｉｏ＿ｄａｔａ）２３を再符号化することなく、２つのチャンネルに分離し、図３（Ｂ）、（Ｃ）に示すフォーマットのモノラル音声ストリームを構成するオーディオデータ（ａｕｄｉｏ＿ｄａｔａ）３３、４３を得る。
【００３３】
また、モノラル情報生成器１４３は、ストリーム解析器１４１で解析した結果をもとにヘッダ（ｈｅａｄｅｒ）を生成すると共に、最終的に生成されるモノラル音声ＰＥＳストリームが所定の固定長となるようにするために、符号化に不必要なダミーデータの量を調整する。
【００３４】
モノラルストリーム付加情報多重器１４４は、モノラルストリーム分離器１４２から分離出力された第１チャンネルのオーディオデータに、モノラル情報生成器１４３から出力されたヘッダ情報や補助情報（ダミーデータなど）を多重すると共に、その多重データについてサイクリック・リダンダンシイ・チェックコード（ＣＲＣ）を再計算し、得られた値をエラーチェック情報（ｅｒｒｏｒ＿ｃｈｅｃｋ）として多重することで、第１のモノラル音声ＰＥＳストリームを生成する。
【００３５】
また、モノラルストリーム付加情報多重器１４５は、モノラルストリーム分離器１４２から分離出力された第２チャンネルのオーディオデータに、モノラル情報生成器１４３から出力されたヘッダ情報や補助情報（ダミーデータなど）を多重すると共に、その多重データについてサイクリック・リダンダンシイ・チェックコード（ＣＲＣ）を再計算し、得られた値をエラーチェック情報（ｅｒｒｏｒ＿ｃｈｅｃｋ）として多重することで、第２のモノラル音声ＰＥＳストリームを生成する。
【００３６】
図３（Ｂ）、（Ｃ）は、それぞれモノラルストリーム付加情報多重器１４４、１４５で生成された第１のモノラル音声ＰＥＳストリームと第２のモノラル音声ＰＥＳストリームのフォーマットを示す。図３（Ｂ）、（Ｃ）に示すように、第１のモノラル音声ＰＥＳストリームと第２のモノラル音声ＰＥＳストリームは、先頭にモノラル情報生成器１４３で生成されたヘッダ３１、４１が配置され、続いて再計算されたエラーチェック情報（ｅｒｒｏｒ＿ｃｈｅｃｋ）３２、４２と、モノラルストリーム分離器１４２で２つのチャンネルに分離されたオーディオ情報（ａｕｄｉｏ＿ｄａｔａ）３３、４３とが配置され、最後に所定の固定長となるようにビット数が調整されたダミーデータである補助情報（ａｎｃｉｌｌａｒｙ＿ｄａｔａ）３４、４４が配置された構造である。
【００３７】
再び図１に戻って説明するに、ビデオ（Ｖｉｄｅｏ）ＰＳパケタイズ器１５は、音声再構成器１４内のモノラルストリーム付加情報多重器１４４、１４５から出力された、図３（Ｂ）、（Ｃ）に示すフォーマットの第１、第２のモノラル音声ＰＥＳストリームと、ＰＳアンパケタイズ器１２により分離された画像ＰＥＳストリームとを多重してＰＳパケットストリームを生成し、更にそのＰＳパケットストリームに、ＲＤＩ−ＮＡＶパック変換器１３から出力されるＮＡＶパックを適当なタイミングで多重して、ＤＶＤ−Ｖｉｄｅｏ規格に準拠した符号化ストリームを生成する。
【００３８】
このビデオ（Ｖｉｄｅｏ）ＰＳパケタイズ器１５で生成されたＤＶＤ−Ｖｉｄｅｏ規格に準拠した符号化ストリームは、第２の外部記憶装置１６へ出力されて格納される。この外部記憶装置１６は、例えばハードディスクドライブ（ＨＤＤ）またはＤＶＤメディアである。なお、図１では外部記憶装置１１及び外部記録装置１６は、説明の便宜上分けたが、実際には時分割処理が行える機器であれば単独の外部記憶装置でもよい。
【００３９】
なお、本発明は上記の実施の形態に限定されるものではなく、ＭＰＥＧオーディオと互換性を有する符号化方式の音声データのフォーマットの変換にも有効であるのは勿論である。
【図面の簡単な説明】
【００４０】
【図１】本発明装置の一実施の形態のブロック図である。
【図２】ＭＰＥＧオーディオ符号化方式で符号化した音声ストリームを示す構造図である。
【図３】図１の要部におけるデュアルモノラルストリームの音声ストリームの分離例を示す図である。
【符号の説明】
【００４１】
１１、１６  外部記憶装置
１２  ＰＳアンパケタイズ器
１３  ＲＤＩ−ＮＡＶパック変換器
１４  音声再構成器
１５  ビデオ（Ｖｉｄｅｏ）ＰＳパケタイズ器
１４１  ストリーム解析器
１４２  モノラルストリーム解析器
１４３  モノラル情報生成器
１４４、１４５  モノラルストリーム付加情報多重器
【図１】
2006349976.tif 000003
【図２】
2006349976.tif 000004
【図３】
2006349976.tif 000005